(57)【要約】【課題】パネル装置においてボタン操作時における導光体のがたつきを低減すること。【解決手段】本発明のパネル装置は、パネル４と、パネル４に装着されるスイッチ１３のボタン５と、ボタン５の操作面６に沿って該ボタン５の側面７から凹設された被挿入固定部８と、被挿入固定部８に挿入固定された前記操作面側６を射光部９とする導光体１０と、導光体１０の入光部１１側に設けられた光源１２とを備えている。更に、前記被挿入固定部８の入り口１５側における前記パネル４と前記ボタン５との隙間１６と、前記光源１２との間の光路に遮光部１７が設けられている。【選択図】図２
2010027272.tif 000002
【特許請求の範囲】
【請求項１】
パネルと、
前記パネルに装着されるスイッチのボタンと、
前記ボタンの操作面に沿って該ボタンの側面から凹設された被挿入固定部と、
前記被挿入固定部に挿入固定された前記操作面側を射光部とする導光体と、
前記導光体の入光部側に設けられた光源と、を備えたパネル装置。
【請求項２】
請求項１に記載のパネル装置において、
前記被挿入固定部の入り口側における前記パネルと前記ボタンとの隙間と、前記光源との間の光路に遮光部が設けられていることを特徴とするパネル装置。
【請求項３】
請求項２に記載のパネル装置において、
前記射光部は前記パネルと一体成形されていることを特徴とするパネル装置。
【請求項４】
請求項２に記載のパネル装置において、
前記射光部は前記パネルに対して該パネルの裏側から挿入固定されていることを特徴とするパネル装置。
【請求項５】
請求項１から４のいずれか１項に記載のパネル装置において、
前記導光体の射光部は入光部より前記挿入方向に長尺に形成され、
該射光部と前記遮光部は前記光源からの光路に対してオーバーラップしていることを特徴とするパネル装置。
【請求項６】
記録実行部と、記録実行のための各種動作のスイッチを入切するボタンが装着されているパネル装置と、を備えた記録装置であって、
前記パネル装置は、請求項１から５のいずれか一項に記載されたものであることを特徴とする記録装置。
【発明の詳細な説明】
【技術分野】
【０００１】
本発明は、導光体が組み付けられているボタンが装着されているパネル装置及び該パネル装置を備えた記録装置に関するものである。
【背景技術】
【０００２】
インクジェットプリンタ等の記録装置が有するパネル装置の一例として、以下の特許文献１に記載された構造のものが挙げられる。この構造のパネル装置は、導光体がボタンに対して該ボタンの操作方向である押込み方向から挿着されている。
【特許文献１】実開平７−２９７２７号公報
【発明の開示】
【発明が解決しようとする課題】
【０００３】
従来のパネル装置は、導光体がボタンに対して該ボタンの操作方向である押込み方向から挿着されているので、ボタン操作時に押込み力によって導光体ががたつく虞があった。
【０００４】
本発明の目的は、パネル装置においてボタン操作時における導光体のがたつきを低減することにある。
【課題を解決するための手段】
【０００５】
上記目的を達成するため、本発明の第１の態様に係るパネル装置は、パネルと、前記パネルに装着されるスイッチのボタンと、前記ボタンの操作面に沿って該ボタンの側面から凹設された被挿入固定部と、前記被挿入固定部に挿入固定された前記操作面側を射光部とする導光体と、前記導光体の入光部側に設けられた光源と、を備えたものである。
【０００６】
本態様によれば、導光体はボタンの操作面に沿って該ボタンの側面から凹設された被挿入固定部に、該ボタンの側面側から操作面に沿って挿入固定されて組み付けられているので、すなわち、導光体がボタンに対して該ボタンの操作方向である押込み方向から挿着されている構造ではないので、導光体がボタン操作時における衝撃の影響を受けにくくなり、該導光体のがたつきを低減することができる。
【０００７】
本発明の第２の態様は、前記第１の態様のパネル装置において、前記被挿入固定部の入り口側における前記パネルと前記ボタンとの隙間と、前記光源との間の光路に遮光部が設けられていることを特徴とするものである。
【０００８】
ボタンが挿入される被挿入固定部の入り口側においては、挿入されたボタンとパネルとの間に比較的幅のある隙間が構造的にできやすい。本態様によれば、前記パネルと前記ボタンとの間の隙間と、前記光源との間の光路に遮光部が設けられているので、光源の光の漏れを防止することができる。
【０００９】
本発明の第３の態様は、前記第２の態様のパネル装置において、前記射光部は前記パネルと一体成形されていることを特徴とするものである。これにより、遮光部を簡単に製造することができる。
【００１０】
本発明の第４の態様は、前記第２の態様のパネル装置において、前記射光部は前記パネルに対して該パネルの裏側から挿入固定されていることを特徴とするものである。  
本態様によれば、パネルが前記遮光部を一体成形することが困難な構造の場合でも、パネルと別体にしてパネルの裏側から挿入固定することで、前記光源の光の漏れを防止することができる。
【００１１】
本発明の第５の態様は、前記第１の態様から第４の態様のいずれか一つのパネル装置において、前記導光体の射光部は入光部より前記挿入方向に長尺に形成され、該射光部と前記遮光部は前記光源からの光路に対してオーバーラップしていることを特徴とするものである。
【００１２】
導光体の射光部を入光部より前記挿入方向において長尺に形成することによって当該遮光部下に空間部ができる。本態様によれば、この空間部を利用して前記遮光部の前記オーバーラップ構造を実現しているので、遮光性の高い遮光部を実現することができる。
【００１３】
本発明の第６の態様は、記録実行部と、記録実行のための各種動作のスイッチを入切するボタンが装着されているパネル装置とを備えた記録装置であって、前記パネル装置は、前記第１の態様から第５の態様のいずれか一つに記載されたものであることを特徴とするものである。
【００１４】
本態様によれば、記録装置において、前記第１の態様から第５の態様のいずれか一つと同様の作用効果を得ることができる。
【発明を実施するための最良の形態】
【００１５】
以下、本発明に係るパネル装置と、該パネル装置を備えた記録装置の一例であるインクジェットプリンタ１を採り上げて説明する。
【００１６】
図１は本実施の形態に係るインクジェットプリンタの外部構造を示す斜視図である。図２は同インクジェットプリンタのパネル装置の要部斜視図、図３は同パネル装置のボタン部分の縦断面図、図４は同ボタン部分を断面で示した斜視図、図５はボタン部分の平面図で、一部においてボタンを外して内部が見えるようにした図である。図６はボタンの斜視図（Ａ）と組み付け前の斜視図（Ｂ）、図７は導光体の一方向からの斜視図（Ａ）と他方向からの斜視図（Ｂ）である。
【００１７】
インクジェットプリンタ１は、カバー２の下部の内部に記録実行部が設けられ、この記録実行部による記録実行のための各種動作のスイッチを入切するボタン５が装着されているパネル装置３を備えている。
【００１８】
本実施の形態に係るパネル装置３は、パネル４と、該パネル４に押し込み可能に装着されるボタン５と、該ボタン５の操作面６に沿って該ボタン５の側面７から凹設された被挿入固定部８と、該被挿入固定部８に挿入固定された前記操作面６側を射光部９とする導光体１０と、前記導光体１０の入光部１１側に設けられたＬＥＤより成る光源１２とを備えている。光源１２から出た光は、導光体１０の入光部１１から入って該導光体内を誘導されて射光部９から外部に射光され、ボタン操作を行うユーザーに視認されるようになっている。符号１３は基板１４に取り付けられたスイッチを示し、該スイッチ１３が前記ボタン５を押し込むことによって入切されるようになっている。
【００１９】
前記被挿入固定部８の入り口１５側における前記パネル４と前記ボタン５との隙間１６と、前記光源１２との間の光路に遮光部１７が設けられている。ボタン５が挿入される被挿入固定部８の入り口１５側においては、挿入されたボタン５とパネル４との間に比較的幅のある隙間が構造的にできやすい。本構造を採れば、前記パネル４と前記ボタン５との間の隙間１６と、前記光源１２との間の光路を遮る遮光部１７が設けられているので、光源１２の光の漏れを防止することができる。
【００２０】
本実施の形態では、前記遮光部１７は前記パネル４と樹脂の一体成形によって形成されている。これにより、遮光部を簡単に製造することができる。
【００２１】
また、前記導光体１０は、その射光部９が入光部１１より前記挿入方向に長尺に形成され、図４等に示したように、該射光部９と前記遮光部１７は前記光源１２からの光路に対してオーバーラップしている。導光体１０の射光部９を入光部１１より前記の如く長尺に形成することによって、当該遮光部９の下に空間部１８ができる。本実施の形態では、この空間部１８を利用して前記遮光部１７の前記オーバーラップ構造を実現しているので、遮光性の高い遮光部１７を実現することができる。
【００２２】
導光体１０は、図７に示したように、射光部９側の挿入方向における両側面に対を成す段部１９，２０が形成されている。こられの両段部１９，２０の間にできる溝部２１に前記被挿入固定部８側に設けられている図示しないレールが係合して、前記挿入が可能になっている。そして、挿入終点位置において、前記レールが両段部１９，２０に挟持されて、ボタン５の押し込み操作時のがたつきを防止している。
【００２３】
本実施の形態によれば、以下の作用効果が得られる。導光体１０はボタン５の操作面６に沿って該ボタン５の側面７から凹設された被挿入固定部８に、該ボタン５の側面７側から操作面６に沿って挿入固定されて組み付けられているので、すなわち、導光体１０がボタン５に対して該ボタン５の操作方向である押込み方向から挿着されている構造ではないので、導光体１０がボタン操作時における衝撃の影響を受けにくくなり、該導光体１０のがたつきを低減することができる。
【００２４】
[他の実施の形態]
図８は他の実施の携帯に係るパネル装置のボタン部分における縦断面図である。  
本実施の形態では、前記遮光部１７’は前記パネル４と別体に形成されて該パネル４の裏側２２から挿入固定されている。挿入固定構造は、図示を省略するが、公知の構造が採用されている。これにより、パネル４が前記遮光部１７を一体成形することが困難な構造の場合でも、パネル４と別体にしてパネル４の裏側２２から挿入固定することで、前記光源１２の光の漏れを防止することができる。
【図面の簡単な説明】
【００２５】
【図１】本実施の形態に係るインクジェットプリンタの外部構造を示す斜視図。
【図２】同インクジェットプリンタのパネル装置の要部斜視図。
【図３】同パネル装置のボタン部分の縦断面図。
【図４】同ボタン部分を断面で示した斜視図。
【図５】ボタン部分の平面図で、一部においてボタンを外して内部が見えるようにした図。
【図６】ボタンの斜視図（Ａ）と組み付け前の斜視図（Ｂ）。
【図７】導光体の一方向からの斜視図（Ａ）と他方向からの斜視図（Ｂ）。
【図８】他の実施の携帯に係るパネル装置のボタン部分における縦断面図。
【符号の説明】
【００２６】
１  インクジェットプリンタ（記録装置）、２  カバー、３  パネル装置、４  パネル、５  ボタン、６  操作面、７  側面、８  被挿入固定部、９  射光部、１０  導光体、１１  入光部、１２  光源（ＬＥＤ）、１３  スイッチ、１４  基板、１５  入り口、１６  隙間、１７  遮光部、１８  空間部、１９  段部、２０  段部、２１  溝部、２２  裏側
【図１】
2010027272.tif 000003
【図２】
2010027272.tif 000004
【図３】
2010027272.tif 000005
【図４】
2010027272.tif 000006
【図５】
2010027272.tif 000007
【図６】
2010027272.tif 000008
【図７】
2010027272.tif 000009
【図８】
2010027272.tif 000010